(57)【特許請求の範囲】
【請求項１】
長手方向に沿って、腹部にあてがわれる腹側部、股間にあてがわれる股部および背中にあてがわれる背側部を連結して構成される本体部と、前記股部に設けられ、体外に排泄された体液を吸収する吸収体とを備える吸収性物品において、
前記背側部に設けられ、前記腹側部に連結される止着テープ、をさらに備え、
前記止着テープは、
シート状部材と、
前記シート状部材から外側に延出する帯状のタブと、
前記タブに設けられ、前記腹側部の外側面に付着する付着材と、
を有しており、
前記付着材は、
先端側の先端付着材と該先端付着材よりも基端側の基端付着材とに分離されており、
前記タブは、
前記先端付着材と前記基端付着材との間に設けられる折り目を境にして、前記本体部の内側であって前記長手方向に直交する幅方向よりも前記背側部側に折り畳まれており、前記先端付着材を介して前記本体部に対し固定されている吸収性物品。
【請求項２】
請求項１に記載の吸収性物品において、
前記シート状部材の一方側には、前記背側部に接着するための接着面が設けられており、前記シート状部材の他方側の側端部から前記タブが外側に延びており、
前記タブは、折り畳まれた状態で前記先端付着材が前記シート状部材に付着することにより固定される吸収性物品。
【請求項３】
請求項１または２に記載の吸収性物品において、
前記タブは、その基端から先端にかけて細くなる形状を有しており、前記折り目より先の先端部分が、残りの基端部分の幅内に収まるように折り畳まれている吸収性物品。
【請求項４】
請求項１から３までのいずれか１項に記載の吸収性物品において、
前記折り目が前記基端付着材の近傍に設けられている吸収性物品。
【請求項５】
請求項１から４までのいずれか１項に記載の吸収性物品において、
前記止着テープは、前記背側部側に折り畳まれた前記タブを複数有している吸収性物品。
【発明の詳細な説明】
【技術分野】
【０００１】
本発明は、止着テープを備える吸収性物品に関するものであって、特に仮留めされた止着テープを容易に展開できるようにするための技術に関する。
【背景技術】
【０００２】
以前より、吸収性物品として、着用者の後背部にあてがわれる背側部の左右に付着材（例えばフック材で構成される面ファスナー）を有する止着テープが設けられたいわゆる開放型の使い捨ておむつが知られている。このような使い捨ておむつでは、止着テープを介して背側部と着用者の腹部にあてがわれる腹側部とを、着用者の体型に合わせて調整可能に連結するよう構成されている。このような使い捨ておむつは、例えば特許文献１に開示されている。
【０００３】
特許文献１の使い捨ておむつでは、製造時において、雄部材からなる面ファスナー部分が、トップシート側（おむつ内側面）に折り畳まれ、この雄部材が押しつけられることにより、特定の場所に一時的に仮留めされている。
【０００４】
使い捨ておむつの製造時に、雄部材（例えばフック材）がおむつ本体の他の不織布部分へ係合した場合、フック材、不織布が破壊等され、その結果、歩留まりが低下するおそれがある。そこで、特許文献１では、止着テープを特定の場所に一時的に仮留めしておくことによって、歩留まり低下の抑制を図っている。
【先行技術文献】
【特許文献】
【０００５】
【特許文献１】特開２００９−２４０６７９号公報
【発明の概要】
【発明が解決しようとする課題】
【０００６】
ところで、従来の仮留めされた止着テープでは、使い捨ておむつを使用する際に、本体部から剥離され外側に展開させる作業を要する。そこで、使い捨ておむつの利便性を向上するためには、止着テープは、素早く剥がせるように構成されていることが望ましい。
【０００７】
ここで例えば、止着テープの付着力を弱めることによって、仮留めされた止着テープを剥がし易くなる。しかしながら、これでは止着テープの止着機能が弱化するため、使い捨ておむつが脱げ易くなるという問題が生じ得る。そこで、本来の機能を損なうことなく、仮留めされた止着テープを容易に展開することが求められている。
【０００８】
本発明は、このような課題に鑑みなされたものであり、仮留めされた吸収性物品の止着テープを展開することを容易とする技術を提供することを目的としている。
【課題を解決するための手段】
【０００９】
上記の課題を解決するため、第１の態様は、長手方向に沿って、腹部にあてがわれる腹側部、股間にあてがわれる股部および背中にあてがわれる背側部を連結して構成される本体部と、前記股部に設けられ、体外に排泄された体液を吸収する吸収体とを備える吸収性物品において、前記背側部に設けられ、前記腹側部に止着可能な止着テープ、をさらに備え、前記止着テープは、シート状部材と、前記シート状部材から外側に延出する帯状のタブと、前記タブに設けられ、前記腹側部の外側面に付着する付着材と、を有しており、前記付着材は、先端側の先端付着材と該先端付着材よりも基端側の基端付着材とに分離されており、をさらに備え、前記タブは、前記先端付着材と前記基端付着材との間に設けられる折り目を境にして、前記本体部の内側であって前記長手方向に直交する幅方向よりも前記背側部側に折り畳まれており、前記先端付着材を介して前記本体部に対し固定されている。
【００１０】
また、第２の態様は、第１の態様に係る吸収性物品において、前記シート状部材の一方側には、前記背側部に接着するための接着面が設けられており、前記シート状部材の他方側の側端部から前記タブが外側に延びており、前記タブは、折り畳まれた状態で前記先端付着材が前記シート状部材に付着することにより固定される。
【００１１】
また、第３の態様は、第１または第２の態様に係る吸収性物品において、前記タブは、その基端から先端にかけて細くなる形状を有しており、前記折り目より先の先端部分が、残りの基端部分の幅内に収まるように折り畳まれている。
【００１２】
また、第４の態様は、第１から第３の態様までのいずれか１態様に係る吸収性物品において、前記折り目が前記基端付着材の近傍に設けられている。
【００１３】
また、第５の態様は、第１から第４の態様までのいずれか１態様に係る吸収性物品において、前記止着テープは、前記背側部側に折り畳まれた前記タブを複数有している。
【発明の効果】
【００１４】
第１から第５までの態様に係る吸収性物品によれば、タブが先端付着材で固定されていることにより、タブがループ構造を形成し得る。さらに、止着テープのタブの先端を背側部側に折り畳むことにより、被着用者の腹側の下半身側にいる介助者から見て遠い方の止着テープのタブのループ構造が、介助者側に向かって開口することとなる。これにより、介助者がループ構造内に指を挿入しやすくなるため、仮留めされた止着テープのタブを開放しやすくなるという効果を奏し得る。また、先端付着材と基端付着材との間の位置に折り目を設けることによって、折り目が形成しやすくなり、タブを容易に折り畳めるという効果を奏し得る。また、基端付着材よりもタブの先端側に折り目を形成することで、タブの基端（付け根）を越えて折り目が設定されることを抑制でき、止着テープ周辺が予期しない形状に変形してしまうことを抑制できるという効果を奏し得る。
【００１５】
特に第２の態様に係る吸収性物品によれば、タブを幅方向よりも背側部側に折り畳むことによって、幅方向に折り畳む場合よりも、シート状部材により広い接着面を確保することができるという効果を奏し得る。
【００１６】
特に第３の態様に係る吸収性物品によれば、折り返し部分がタブからはみ出ないように折り返されているため、本体部から突出するタブの面積が小さくなる。これにより、吸収性物品がタブの部分で製造装置等に引っ掛かったりすることを低減できるという優れた効果を奏し得る。
【００１７】
特に第４の態様に係る吸収性物品よれば、タブの突出部分を小さくすることができるという効果を奏し得る。
【００１８】
特に第５の態様に係る吸収性物品によれば、複数のタブを使って、股部、腹側部、腰部を被着用者に対して適切に押し当てることができるため、吸収性物品を良好に装着させることができる。
【図面の簡単な説明】
【００１９】
【図１】実施形態に係る吸収性物品の全体を示す斜視図である。
【図２】吸収性物品を展開して示す平面図である。
【図３】図２に示すＩＩＩ−ＩＩＩ位置において吸収性物品の長手方向に垂直な面で切断したときの概略断面図である。
【図４】止着テープを示す平面図である。
【図５】介助者６１が吸収性物品１００を着用対象者６２に装着させる様子を概念的に示す平面図である。
【図６】仮留めされたタブ４２を備える止着テープ４を拡大して示す斜視図である。
【発明を実施するための形態】
【００２０】
以下、図面を参照して実施の形態を詳細に説明する。ただし、この実施の形態に記載されている構成要素はあくまでも例示であり、本発明の範囲をそれらのみに限定する趣旨のものではない。
【００２１】
＜１．  実施形態＞
図１は、実施形態に係る吸収性物品１００の全体を示す斜視図である。また図２は、吸収性物品１００を展開して示す平面図である。さらに図３は、図２に示すＩＩＩ−ＩＩＩ位置において吸収性物品１００の長手方向に垂直な面で切断したときの断面を示す概略断面図である。
【００２２】
吸収性物品１００は、着用された状態を基準にして着用者の腹側を前側、背中側を後側としたとき、この前後方向が吸収性物品１００の長手方向に対応する。本願では、この吸収性物品１００の長手方向をＹ軸方向と定義し、またこの長手方向に直交する吸収性物品１００の幅方向をＸ軸方向と定義して説明する。
【００２３】
図１，２に示すように、吸収性物品１００は、着用者の股間にあてがわれる股部１と、股部１の前側に延在し、着用者の腹部にあてがわれる腹側部２と、股部１の後側に延在し、着用者の後背部にあてがわれる背側部３とで構成されている。これら股部１、腹側部２および背側部３は、吸収性物品１００の本体部を構成している。また、背側部３のＸ軸方向両側端部には、腹側部２に設けられた被止着部２１に止着可能な止着テープ４が設けられている。
【００２４】
吸収性物品１００は、展開された状態で着用対象者の下半身に装着され、図１に示すように、腹側部２の外装部分（具体的には、後述するバックシート５１）に設けられた被止着部２１に止着テープ４が取り付け固定されることによって、腹側部２と背側部３とが環状に連結されてパンツ型を形成する。このように吸収性物品１００は、いわゆる開放型使い捨て紙おむつとして構成されている。
【００２５】
図２に示すように、股部１は、好ましくは中央付近に向かうにつれて次第に細くなるように両側部が湾曲状に切り欠かれている。この切り欠きは、背側部３と腹側部２とが止着テープ４によって連結された際に、着用者の脚が挿入される脚周り開口部を形成する。
【００２６】
図３に示すように、吸収性物品１００は、液不透過性のバックシート５１と、液透過性のトップシート５２と、これらのシートの間に挟み込まれた吸収体５３とで形成される階層構造を有している。トップシート５２は、着用者の肌に面するように配置され、少なくとも常温常圧下において、体液（尿等の排泄物）を透過する。このトップシート５２を透過した体液は、吸収体５３によって吸収保持される。バックシート５１は、排泄物が外部へ漏れるのを防ぎ、衣服等が汚れるのを防ぐ。
【００２７】
バックシート５１は、例えば、疎水性繊維（ポリプロピレン、ポリエチレン、ポリエステル、ポリアミド、ナイロン等）を用いた撥水性の不織布により構成される。なお、バックシート５１は、プラスチックフィルムにより構成されていてもよく、また、プラスチックフィルムとその外側に貼着された柔軟性の高い不織布とにより構成されていてもよい。
【００２８】
トップシート５２は、例えば、親水性繊維（セルロース、レーヨン、コットン等）を用いた不織布により構成される。なお、トップシート５２は、疎水性繊維（ポリプロピレン、ポリエチレン、ポリエステル、ポリアミド、ナイロン等）の表面を界面活性剤により処理して液透過性とした不織布により構成されていてもよい。
【００２９】
吸収体５３は、例えば顆粒状の高分子吸収体（ＳＡＰ）により構成される。吸収体５３は、バックシート５１の内側面に、接着剤を介して高分子吸収体が固定され、さらにその内側に、高分子吸収体を被覆する液透過性の補助シート（図示せず。）が設けられている。高分子吸収体は、バックシート５１と補助シートとの間において、略シート状に分布した状態で保持されている。
【００３０】
なお、吸収体５３は、補助シートを介することなく保持されていてもよい。また、吸収体５３は、粉砕したパルプ繊維やセルロース繊維等の親水性繊維の集合層に、顆粒状の高分子吸収体を混合した塊を、ティッシュペーパー等の紙シートまたは透液性の不織布シートで被覆したものであってもよい。ただし、吸収体５３の嵩張りを抑制するために、吸収体５３は、パルプ非存在の高分子吸収体により構成されていてもよい。また、吸収体５３は、高分子吸収体のみで構成されていてもよい。
【００３１】
トップシート５２のＸ軸方向両側端部には、腹側部２から背側部３にかけてＹ軸方向に延在するサイドシート５４，５４が設けられている。トップシート５２とサイドシート５４，５４とは、それぞれホットメルト接着剤、熱溶着、超音波溶着等の貼着手段を介して取り付けられている。サイドシート５４は、バックシート５１と同様の部材で構成され、好ましくは、プラスチックフィルムや撥水性不織布等の撥水性に優れた部材により構成される。サイドシート５４，５４のＸ軸方向内側端部には、伸長状態で固定されたＹ軸方向に延びる糸状の弾性部材５４１がそれぞれ取り付けられている。
【００３２】
サイドシート５４，５４のＸ軸方向内側端部が外側に広げられると、弾性部材５４１の収縮力によってこの部分が肌面側に向かって立ち上がり、立体ギャザー７が形成される（図１参照）。吸収性物品１００の着用時に、この立体ギャザー７が着用対象者の鼠蹊部にあてがわれることによって、排泄された体液がこの立体ギャザー７を越えて外部へ漏れることを抑制できる。
【００３３】
図２に示すように、腹側部２及び背側部３のうち、着用者の腰回りに対応する部分には、Ｘ軸方向に沿って、ウエストギャザーを形成するための糸状の弾性部材５４２が自然長よりも伸長された状態で取り付けられている。この弾性部材５４２の伸縮作用により、この部分が着用者の腰回りに柔軟に密着することとなる。
【００３４】
また、脚周りに対応する股部１の両側湾曲部分のそれぞれには、レッグギャザーを形成するための糸状の弾性部材５４３が、自然長よりも伸長された状態でバックシート５１とトップシート５２との間に取り付けられている。この弾性部材５４３の伸縮作用により、吸収性物品１００の脚周り開口部が脚周りに柔軟に密着することとなる。
【００３５】
止着テープ４は、背側部３のＸ軸方向両側（左右）の側端部に設けられている。止着テープ４は、シート状部材である基材シート４１と、基材シート４１のＸ軸方向（幅方向）外側の側端部から、外側に延出する複数（ここでは２個）の帯状のタブ４２，４２とを有している。タブ４２，４２は、Ｙ軸方向に並列して設けられている。吸収性物品１００は、未使用状態では、図２に示すように、タブ４２，４２が吸収性物品１００の内側に折り畳まれた状態で提供される。
【００３６】
吸収性物品１００が着用される場合、左右の止着テープ４，４のそれぞれに設けられた２つのタブ４２，４２のうち、背側部３側にあるタブ４２を下半身側に、腹側部２側にあるタブ４２を上半身側に引いて相互に交差させる（あるいは、単に接近させる）ようにして、これらのタブ４２，４２が被止着部２１に止着される。これにより、吸収性物品１００の股部１、腹側部２および背側部３を、着用者の体型に合わせて、股間や脚周り、腰回り等にフィットさせることができる。
【００３７】
図３に示すように、止着テープ４は、背側部３のバックシート５１およびサイドシート５４に挟まれた状態で、ホットメルト等の接着手段により接合されている。より詳細には、止着テープ４のうちの基材シート４１の一方側（Ｘ軸方向内側）に、少なくともバックシート５１またはサイドシート５４のいずれかに接着する接着面が設けられており、この接着面を介して背側部３に接合されている。
【００３８】
図４は、止着テープ４を示す平面図である。なお図４では、タブ４２，４２のうちの背側部３側のタブ４２を吸収性物品１００の外側に展開した状態を図示している。
【００３９】
タブ４２の両面のうち、吸収性物品１００の内側（すなわち、トップシート５２側）の面には、その先端側に設けられた先端付着材４２１と基端側に設けられた基端付着材４２２とを備えている。先端付着材４２１は、タブ４２１の先端近傍に設けられており、先端基端付着材４２は、タブ４２の付け根近傍に設けられている。そして先端付着材４２１と基端付着材４２２との間には、タブ４２を内側に折り曲げるための折り目４２Ｌ（折り曲げ線）が設けられている。この折り目４２Ｌは、Ｙ軸方向に対して斜めに延びており、タブ４２を折り目４２Ｌに沿って折り曲げた際に、その先端が吸収性物品１００の幅方向（Ｘ軸方向）よりも背側部３側に向かって折り畳まれる。なお、タブ４２には、先端付着材４２１、基端付着材４２２以外にも、基材シート４１や被止着部２１に接合する付着材がさらに設けられていてもよい。
【００４０】
ここで仮に、タブ４２の付け根（基材シート４１との境界部分）を跨ぐように、折り目が形成された場合、タブ４２が折り畳まれた際に、基材シート４１まで折れ曲がってしまい、止着テープ４が予期しない形状に変形するおそれがある。本実施形態に係るタブ４２では、タブ４２の付け根近傍に基端付着材４２２が設けられている。基端付着材４２２が設けられた部分の厚みは、他の部分よりも厚くなっており、この部分に折り目が形成され難くなっている。すなわち、本実施形態では、タブ４２の付け根を越えて折り目が設定されることが低減されている。
【００４１】
先端付着材４２１と基端付着材４２２とは、タブ４２のＹ軸方向に沿う幅全体に、フック材が敷設されることによって構成されている。基材シート４１やタブ４２は不織布で構成されており、先端付着材４２１と基端付着材４２２に接合可能に構成されている。もちろん、基材シート４１やタブ４２にエンボス加工を施すことによって、付着材が接合できるように基材シート４１およびタブ４２を構成してもよい。タブ４２は、折り目４２Ｌに沿って折り曲げられた状態で、先端付着材４２１が基材シート４１に、基端付着材４２２がタブ４２自身に押し当てられることによって、それぞれ接合される。これにより、タブ４２が仮留めされ、吸収性物品１００の本体に対して着脱自在に固定されることとなる。
【００４２】
タブ４２は、好ましくは基端から先端にかけて細くなる形状を有している。また、タブ４２が折り畳まれる際には、折り目４２Ｌより先の先端部分が、タブ４２の残りの基端部分の幅Ｗ（Ｙ軸方向の長さ）内に収まるように折り畳まれている。なお幅Ｗは、タブ４２の基端側に向かうにつれて次第に大きくなる。Ｘ軸方向に延在するタブ４２の両側辺のうち、背側部３側のものを側辺４３ａ、腹側部２側のものを側辺４３ｂとしたとき、本実施形態では、折り目４２Ｌより先の側辺４３ａが、折り目４２Ｌよりも基端側の側辺４３ａに沿うようにタブ４２が折り畳まれている。これにより、タブ４２の先端を、タブ４２自身からはみ出さずに、できるだけ背側部３に近づくように折り畳むことができる。
【００４３】
このように、タブ４２の折り返し部分が、タブ４２の残りの部分からはみ出ないように折り畳まれることによって、基材シート４１から突出するタブ４２の面積を小さくすることができる。また折り目４２Ｌは、好ましくは基端付着材４２２側に偏在しており、より好ましくは基端付着材４２２の近傍に設けられる。これにより、さらにタブ４２の基材シート４１からの突出部分を小さくすることができる。タブ４２の突出部分を小さくすることにより、製造装置や搬送装置等でタブ４２が引っ掛かることを低減でき、吸収性物品１００の製造効率を向上することが可能となる。
【００４４】
また、タブ４２を折り畳む方向が、背側部３側に向かえば向かうほど、折り畳まれた先端部分は、Ｘ軸方向に対して傾斜するため、そのＸ軸方向の長さは短くなる。ここで、図４に示すように、基材シート４１上のうち、Ｙ軸方向にわたってタブ４２が重ねられない領域を余白領域４１Ｓとすると、タブ４２を斜めに折り畳むことによって、この余白領域４１Ｓがより広く確保されることとなる。この余白領域４１Ｓは、サイドシート５４に接着させるための接着面として利用し得る。このため、余白領域４１Ｓを拡大させることは、タブ４２をサイドシート５４に接合する際に有利である。
【００４５】
図５は、介助者６１が吸収性物品１００を着用対象者６２に装着させる様子を概念的に示す平面図である。なお、図５では、仰臥姿勢の着用対象者６２の背中側に吸収性物品１００が配置されており、介助者６１が着用対象者６２の下半身側から吸収性物品１００を装着させるときの様子を図示している。
【００４６】
図５に示すように、介助者６１が着用対象者６２の下半身の正面（腹）側に居る場合、腹側部２に向けて内側に折り畳まれたタブ４２の先端部は、それぞれＸ軸方向に対して着用対象者６２の上半身側に固定されている。すなわち、タブ４２の先端部は、介助者６１とは反対側に固定されている。
【００４７】
図６は、仮留めされたタブ４２を備える止着テープ４を拡大して示す斜視図である。なお、図６では、図５に示す左右の止着テープ４，４のうち、介助者６１から見て遠い方にある止着テープ４を図示している。
【００４８】
タブ４２のうち、先端止着材４２１と基端止着材４２２との間は、基材シート４１またはタブ４２自体に止着されない非止着部分となっている。したがって図６に示すように、この非止着部分で基材シート４１とタブ４２との間に隙間４２Ｓが生まれる。これにより、基材シート４１とタブ４２とでループ構造が形成される。介助者６１（もしくは着用対象者６２）は、この隙間４２Ｓに指を挿入して、タブ４２の先端部分を引っ張ったり摘んだりすることによって、仮留めされたタブ４２を素早く、かつ、容易に展開することが可能となっている。
【００４９】
特に図５に示す状態において、介助者６１から遠い方にある止着テープ４のタブ４２では、ループ構造の開口が、介助者６１側に向いている。このため、介助者６１は、比較的遠くにあるタブ４２が形成する開口に指を挿入し易くなっている。したがって、吸収性物品１００は、介助者６１が着用対象者６２に対して着用させ易い構成となっている。
【００５０】
なお、吸収性物品１００は、着用対象者６２の姿勢が仰臥姿勢のときだけでなく、例えば起立姿勢であるときにも、着用対象者６２の下半身の正面側に居る介助者６１はタブ４２を素早く展開し得る。
【００５１】
＜２．  変形例＞
以上実施形態について説明してきたが、本発明は以上のような構成のものに限定されるものではなく、適宜変形することができる。
【００５２】
例えば上記実施形態では、タブ４２に設けられる付着材は、フック材等からなる面ファスナーで構成される。これによれば、何度も繰り返して着脱できるため、装着する際に何度も付け直しできるという点で有利である。しかしながら、接着力を有する粘着物をタブ４２に取り付け、基材シート４１や被止着部２１に接着できるように構成してもよい。
【００５３】
また上記実施形態では、弾性部材５４１，５４２，５４３の形状を糸状としているが、これに限られるものではない。また、各々の箇所に取り付けられる弾性部材の本数は、適宜に変更可能である。
【００５４】
さらに上記実施形態および変形例にて説明した各構成は、互いに矛盾の生じない限り、適宜組み合わせたり、または省略したりすることができる。
【符号の説明】
【００５５】
１００  吸収性物品
１  股部
２  腹側部
２１  被止着部
３  背側部
４  止着テープ
４１  基材シート
４２  タブ
４２１  先端付着材
４２２  基端付着材
４２Ｌ  折り目
４３ａ  側辺
４３ｂ  側辺
５１  バックシート
５２  トップシート
５３  吸収体
【図１】
0005638315.tif 000002
【図２】
0005638315.tif 000003
【図３】
0005638315.tif 000004
【図４】
0005638315.tif 000005
【図５】
0005638315.tif 000006
【図６】
0005638315.tif 000007